(57)【要約】【課題】  電柱等の柱状立設体に付設しても歩行者の歩行や自転車・自動車の走行の障害とならず、且つ犬等の動物が接近可能な方向の全てに対し複数設置しなくても当該犬等の動物のマーキング（放尿）行為を忌避することが可能な柱状立設体付設用動物忌避装置を提供する。【解決手段】  柱状立設体付設用動物忌避装置１を、電柱２周面に沿って弧状に形成されると共に外表面４の少なくとも一部に凹面状に形成した凹面部５が設けられている付設部材３より構成されていると共に、この凹面部５の内面に反射面６が層状に形成されたものとすることで、電柱２の軸方向の中央部位に、凹面鏡を周面に沿って形成した構成とする。これにより、電柱２に対し接近可能な全ての方向のいずれから犬等の動物が接近しても、縦方向に長く延びるように拡大されて映る自分の姿に警戒するので、電柱２に対するマーキング行為を忌避することができる。【選択図】  図１
2005269961.tif 000002
【特許請求の範囲】
【請求項１】
柱状立設体周面に沿って弧状に形成された付設部材と、この付設部材を前記柱状立設体の下部周面に付設固定する固定手段とを有して構成され、
前記付設部材の少なくともその一部に外側に向けて光を反射させる反射面を設け、この反射面を映る像が実像に対し異形となるように形成したことを特徴とする柱状立設体付設用動物忌避装置。
【請求項２】
外表面の少なくとも一部に凹面状に形成した凹面部が設けられ、この凹面部をミラー状とすることで前記反射面が形成されていることを特徴する請求項１に記載の柱状立設体付設用動物忌避装置。
【請求項３】
前記付設部材は、前記柱状立設体下部の周面に沿って複数配設されていることを特徴とする請求項１又は２に記載の柱状立設体付設用動物忌避装置。
【請求項４】
前記付設部材は、柱状立設体に近接して設けられた壁体と対峙する部分を除く柱状立設体の下部周面に沿って設けられていることを特徴とする請求項１、２又は３に記載の柱状立設体付設用動物忌避装置。
【請求項５】
前記付設部材は、略一定の厚みを有すると共に、内面に前記反射面を形成する層を設けた透明素材によって構成されていることを特徴とする請求項１、２、３又は４に記載の柱状立設体付設用動物忌避装置。
【発明の詳細な説明】
【技術分野】
【０００１】
この発明は、電柱等の柱状立設体に付設されて例えば犬等の動物が電柱等の柱状立設体に対して行うマーキング（放尿）行為を忌避するための装置に関するものである。
【背景技術】
【０００２】
電柱は、通常において人や自転車・自動車の通行の妨げとならないように道の端等に立設されているところ、犬のマーキング（放尿）行為の格好の対象となっている。このため、複数の犬により繰り返し行われる上記マーキング行為により電柱及びその周辺から悪臭が発生し、又は不衛生的となって、電柱周辺の居住者や店舗を営む事業者等に不快感を与えている。
【０００３】
従って、この電柱周辺の居住者や事業者等から本願出願人に対し、苦情や、ひいては電柱の撤去を求められるというケースもあった。また、犬のマーキング行為による悪臭や不衛生化に対する心配から電柱の新設の地先交渉に支障をきたす等の不具合もあった。更には、電柱以外でも金属製からなる道路標識その他の柱状立設体に繰り返し犬のマーキング行為が行われるとその根元部分が錆びる等の不具合も考えられる。
【０００４】
このような不具合を解消するための装置として、電柱の下部周面に装着される取付帯とこの取付帯の外表面から放射状に張り出した枝とで構成され、この放射状に張り出した枝により犬を電柱に近づけないようにした電柱への犬の放尿防止用具が既に開発されている（例えば、特許文献１を参照。）。
【０００５】
一方で、大きさが２０ｃｍ2 以上１５００ｃｍ2 以下の表面積に設定され、かつ曲面半径が４０ｃｍ以上２４０ｃｍ以下に設定された凹面鏡からなり、犬、猫を寄せつけたくない場所に設置することで利用する犬、猫忌避用凹面鏡も既に公知である（例えは、特許文献２を参照。）。
【特許文献１】特開平１１−１９６７５３号公報
【特許文献２】特開平８−１０７７５０号公報
【発明の開示】
【発明が解決しようとする課題】
【０００６】
しかしながら、特許文献１に示されるような電柱への犬の放尿防止用具の構成では、電柱から放射状に張り出した枝が歩行者の歩行や自転車・自動車の走行の妨げとなり、思わぬ怪我や事故を招く等の不具合が考えられる。
【０００７】
また、特許文献２に示されるような犬、猫忌避用凹面鏡は、その数値限定された形状から単体では接近して来る犬に対して忌避が有効な方向がある程度限定されているもので、広範囲な方向から接近する犬等の動物を忌避するための着想は示されていない。更には、凹面鏡がむき出しの状態で設置されるので物等がぶつかったり蹴ったりすることで割れてしまう恐れがある。
【０００８】
そこで、本発明は、電柱等の柱状立設体に付設しても歩行者の歩行や自転車・自動車の走行の障害とならず、且つ犬等の動物が接近可能な方向の全てに対して、犬等の動物が接近するのを忌避することが可能な柱状立設体付設用動物忌避装置を提供することを目的とするものである。
【課題を解決するための手段】
【０００９】
本発明に係る柱状立設体付設用動物忌避装置は、柱状立設体周面に沿って弧状に形成された付設部材と、この付設部材を前記柱状立設体の下部周面に付設固定する固定手段とを有して構成され、前記付設部材の少なくともその一部に外側に向けて光を反射させる反射面を設け、この反射面を映る像が実像に対し異形となるように形成したことを特徴としている（請求項１）。この柱状立設体としては、電柱の他に道路標識柱、街路樹等が挙げられる。
【００１０】
より具体的には、本発明に係る柱状立設体付設用動物忌避装置は、外表面の少なくとも一部に凹面状に形成した凹面部が設けられ、この凹面部をミラー状とすることで前記反射面が形成されていることを特徴としている（請求項２）。この柱状立設体付設用動物忌避装置の全体形状としては、例えば、中央部に柱状立設体を外挿するための孔を有すると共に、その外周側面を、柱状立設体の軸方向の上端から下端にかけて、暫時端径方向外側に膨出した後、暫時径方向内側に窪み、更に暫時端径方向外側に膨出することで、犬の顔が面する中央部位に凹面部を有する略ひょうたん筒型形状とすることが考えられる。
【００１１】
もっとも、前記付設部材を筒状の単体とせずに、前記付設部材は、前記柱状立設体下部の周面に複数配設されて成るものとしても良い（請求項３）。また、柱状立設体付設用動物忌避装置の全体形状は、上述した筒型形状とせずに、軸方向から見てその一部が切り欠かれた弧状としても良く、これに伴い、前記付設部材は、柱状立設体に近接して設けられた壁体と対峙する部分を除く柱状立設体の下部周面に設けられて成るものとしても良い（請求項４）。
【００１２】
更に、前記付設部材は、略一定の厚みを有すると共に、内面に前記反射面を形成する層を設けた透明素材によって構成されていても良い（請求項５）。この透明素材としては、耐衝撃性、耐光性に優れた透明素材、例えば無色透明なポリカーボネイト（ＰＣ）等が挙げられる。
【発明の効果】
【００１３】
請求項１に記載の発明によれば、柱状立設体付設用動物忌避装置は、弧状に形成されて反射面をその一部に有する付設部材が電柱等の柱状立設体の周面に沿って配置しているので、柱状立設体に対し広範囲な方角から当該柱状立設体に対しマーキング行為をしようと接近してきた犬等の動物は、付設部材の反射面に映る自分の像が実像に対し得たいの知れない異形のものとなるため、その自分の姿に警戒してそれ以上柱状立設体に近接しないことから、犬等の動物が柱状立設体にマーキング行為をすることで生ずる悪臭の発生や不衛生化、更には金属製の場合には錆の発生を防止することができる。しかも、犬等の動物のマーキング行為を忌避するために柱状立設体に対し径方向に延びる突起状の枝等を有しないので、歩行者、自転車及び自動車の通行の妨げとなることも回避することができる。
【００１４】
特に、請求項２に記載の発明によれば、付設部材に対しその周面に沿って反射面とこの反射面を覆う凹面部からなる凹面鏡を有するので、柱状立設体に対し広範囲な方角からマーキング行為をしようと接近してきた犬等の動物は、付設部材に形成された凹面鏡に映る自分の像が実像よりも縦方向に延びるように拡大されたものとなるため、その自分の姿に警戒してそれ以上柱状立設体に近接しないので、犬等の動物が柱状立設体にマーキング行為をすることで生ずる悪臭の発生や不衛生化、更には金属製の場合には錆の発生を防止することができる。そして、この請求項２に係る発明も、犬等の動物のマーキング行為を忌避するために柱状立設体に対し径方向に延びる突起状の枝等を有しないので、歩行者、自転車及び自動車の通行の妨げとなることも回避することができる。
【００１５】
特に、請求項３に記載の発明によれば、複数に分割された状態の付設部材を柱状立設体の周面に各々付設することにより柱状立設体付設用動物忌避装置を形成するので、既設の電柱への付設作業が可能である。
【００１６】
特に、請求項４に記載の発明によれば、柱状立設体付設用動物忌避装置は、付設部材が壁体と対峙する部分を除く柱状立設体の下部周面に付設されて構成されるので、その全体形状を筒型形状とした場合のように壁体が柱状立設体への付設の障害となるのを回避するができる。尚、壁体側には反射面とこの反射面を覆う凹面部からなる凹面鏡を有しないこととなるが、壁体側から犬等の動物が接近してくることはないので、犬等の動物の接近に対する忌避効果は損なわれることがない。
【００１７】
特に、請求項５に記載の発明によれば、付設部材の反射面は、その外表面側に透明素材、特に耐衝撃性、耐光性に優れた素材が配置されているので、反射面に対し物が直接ぶつかったり蹴られたりして破損するのを、この透明素材で覆うことにより防止することができる。
【発明を実施するための最良の形態】
【００１８】
以下、この発明の実施形態を図面により説明する。
【００１９】
図１から図４に、この発明の第１の実施形態に係る柱状立設体付設用動物忌避装置１が示されている。この柱状立設体付設用動物忌避装置１は、この実施形態では、柱状立設体のうちの電柱２の下部に付設されるもので、前記電柱の周面に沿って弧状に形成された付設部材３から構成されている。付設部材３は、既設の電柱２に後から取付可能なように径方向に３等分された弧状のもので、この第１の実施形態では前記付設部材３の３個全てを用いて電柱２の下部周面の全周を囲んだものとしている。但し、付設部材３の個数はこの３個に限定されないもので、設置前の電柱２に予め付設するものについては付設部材３を筒状の単体としても良く、反対に更に小さく６等分した弧状のものであっても良い。
【００２０】
各付設部材３は、例えば耐衝撃性、耐光性に優れた無色透明なポリカーボネイト等の透明素材からなると共に略一定の肉厚を有する層状の外表面４を備えている。この外表面４は、当該実施形態では、電柱２の軸方向に沿った上端から下端にかけて、電柱２の周面と略同じ位置から電柱２の径方向外側に暫時膨出した後、電柱２の径方向内側に電柱２の周面と略同じ位置まで暫時窪み、再度電柱２の径方向外側に暫時膨出することで、その一部に凹面部５を有している。これにより、付設部材３の上端部位について、電柱２の周面を当接支持してガタツキをなくす保持部とすることができる。また、凹面部５の内径が電柱２の外形寸法よりも小さくなって電柱２を外挿することが困難となることがなく、更に、付設部材３の下端部位が裾広がりとなって台座の役割を果たすことが可能となる。
【００２１】
そして、この外表面４の内面には、当該外表面４を透過してきた光を反射させるミラー状の反射面６を有している。この反射面６は、外表面４に沿って略一定の肉厚で形成されることにより凹面形状をその一部に形成している。これにより反射面６とこの反射面６を覆う凹面部５とで、光の入射角度に対し反射角度が異なる凹面鏡が構成される。この外表面４の凹面部５と反射面６とで形成される凹面鏡の地面からの高さは、特に限定しないが、例えば、図１（ｂ）で示すように、最も家庭で良く飼われている中型犬の成犬の目の高さＬに合わせたものとする。
【００２２】
以上の付設部材３の構成によれば、図１（ａ）及び図３に示すように、３個の付設部材３を組み合わせた場合には、一方に電柱２の外形状と略同じ開口部７が開口し、他方に電柱２の外形状よりも大きな開口部（図示せず）が開口すると共に電柱２の軸方向の中央部位に反射面６とこの反射面６を覆う凹面部５とから成る凹面鏡が周方向に沿って存する略ひょうたん筒型形状の柱状立設体付設用動物忌避装置１が形成される。よって、電柱２に対しその全方向から犬等の動物が接近しても、その姿が凹面部５と反射面６とで形成された凹面鏡に対し、実像よりも縦方向に延びて拡大された像が映り込むので、犬等の動物はその自分の姿に警戒するため、犬等の動物が電柱２にマーキング行為をするのを忌避することができる
【００２３】
ここで、付設部材３を複数用いて構成される場合には、図３に示されるように、固定手段として例えばステンレス製のバンド８を巻回することにより、付設部材３を電柱２の下部周面に付設固定することが挙げられる。また、図４に示されるように、固定手段として付設部材３の隣り合う付設部材３との接合部位に通孔が形成されたフランジ９を設け、これらの付設部材３のフランジ９同士を当接し、これにより連通した通孔に固定具１０を挿通して締結することにより、付設部材３を電柱２の下部周面に付設固定することも挙げられる。但し、付設部材３の固定手段は、上記したものに限定されず、バンド８とフランジ９、固定具１０との併用でも、更には接着剤による固定であっても良い。
【００２４】
一方、柱状立設体付設用動物忌避装置１は、上記したように略ひょうたん筒型形状のものに限定されず、例えば図５として示される第２の実施形態の様に、２つの弧状の付設部材３を組み合わせてなり、上面から見た状態の形態が３分の２の略円弧状のものとしても良い。
【００２５】
このような構成の柱状立設体付設用動物忌避装置１とすることにより、図５に示されるように、電柱２が壁体１１に近接して設置された場合でも、柱状立設体付設用動物忌避装置１を壁体１１に妨げられることなく電柱２に付設固定することができる。しかも、犬等の動物が電柱２に接近可能な方向に対しては帯状に凹面部５と反射面６とからなる凹面鏡が設けられているので、犬等の動物のマーキング行為を忌避することができる。
【００２６】
更に、柱状立設体付設用動物忌避装置１は、例えば図６としてに示される第３の実施形態の様に、弧状の付設部材３を単体で用い、これに伴い上面から見た状態の形態が３分の１の略円弧状のものとしても良い。
【００２７】
このような構成の柱状立設体付設用動物忌避装置１とすることにより、図６に示されるように、電柱２が２つの壁体１１に囲まれた角部に近接して設置された場合でも、柱状立設体付設用動物忌避装置１をこの壁体１１に妨げられることなく電柱２に付設固定することができる。しかも、犬等の動物が電柱２に接近可能な方向に対しては凹面部５と反射面６とからなる凹面鏡が単体の付設部材３であっても有しているので、犬等の動物のマーキング行為を忌避することができる。
【００２８】
もっとも、犬等の動物は、動く得たいの知れないものに警戒して近寄らないことが考察されるので、外表面及び反射面の形状は光の入射角度に対し反射角度が異なって（乱反射も可）、反射面に映る像が異形となるような形状であれば良く、必ずしもこれまで図面で示されてきた凹面鏡を形成する構成に限定されることがない。また、柱状立設体付設用動物忌避装置１が付設される対象も電柱２に限定されず、犬等の動物がマーキング行為を行う柱状立設体の全てが対象となる。
【図面の簡単な説明】
【００２９】
【図１】図１は、この発明の第１の実施形態に係る柱状立設体付設用動物忌避装置を示すもので、図１（ａ）は真上から見た形態を示す平面図、図１（ｂ）は側方から見た形態を示す一部断面図である。
【図２】図２は、同上の第１の実施形態に係る柱状立設体付設用動物忌避装置を斜め上方から見た形態を示す斜視図である。
【図３】図３は、同上の第１の実施形態に係る柱状立設体付設用動物忌避装置を複数の付設部材で構成する場合に、付設部材同士をステンレス製ワイヤーで締付けて電柱に付設固定した状態を示す側面図である。
【図４】図４は、同上の第１の実施形態に係る柱状立設体付設用動物忌避装置を複数の付設部材で構成する場合に、付設部材同士を固定具で連結して電柱に付設固定した状態を示す側面図である。
【図５】図５は、同上の第２の実施形態に係る柱状立設体付設用動物忌避装置であって、電柱が１の壁体に近接している場合に付設部材の個数を減少して壁体が妨げとならないようにしたもので、図５（ａ）は斜め上方から見た形態を示す斜視図、図５（ｂ）は真上から見た形態を示す平面図である。
【図６】図６は、同上の第３の実施形態に係る柱状立設体付設用動物忌避装置であって、電柱が２つの壁体に挟まれた角部に位置している場合に付設部材の個数を減少して壁体が妨げとならないようにしたもので、図６（ａ）は斜め上方から見た形態を示す斜視図、図６（ｂ）は真上から見た形態を示す平面図である。
【符号の説明】
【００３０】
１  柱状立設体付設用動物忌避装置
２  電柱
３  付設部材
４  外表面
５  凹面部
６  反射面
７  開口部
８  バンド
９  フランジ
１０  固定具
１１  壁体
【図１】
2005269961.tif 000003
【図２】
2005269961.tif 000004
【図３】
2005269961.tif 000005
【図４】
2005269961.tif 000006
【図５】
2005269961.tif 000007
【図６】
2005269961.tif 000008